(57)【特許請求の範囲】
【請求項１】
筒状のステアリングコラム内に挿通する回転可能なステアリングシャフトの回転に抵抗力を付与する抵抗付与手段を設け、該抵抗付与手段によって付与される抵抗力を車速に応じて変更する車両の操舵抵抗付与装置において、
前記抵抗付与手段をステアリングホイールの近傍に配置するとともに、操舵角に基づいて算出される操舵速度の変化によってステアリングの切り始めを検知し、ステアリングの切り始め領域において前記抵抗付与手段によって付与される抵抗力を他の領域において付与される抵抗力よりも大きく設定し、
操舵角に基づいて算出される操舵速度の変化によってステアリングの戻し始めを検知し、ステアリングの戻し始め領域において前記抵抗付与手段によって付与される抵抗力を他の領域において付与される抵抗力よりも小さく設定する車両の操舵抵抗付与装置。
【請求項２】
前記抵抗付与手段によって付与される抵抗力を車速によって変化させ、車速が大きい場合の抵抗力を車速が小さい場合の抵抗力よりも大きく設定する請求項１記載の車両の操舵抵抗付与装置。
【請求項３】
前記抵抗付与手段によって付与される抵抗力を操舵角によって変化させ、操舵角の増加と共に抵抗力を小さくする請求項１又は２記載の車両の操舵抵抗付与装置。
【請求項４】
前記抵抗付与手段による抵抗力付与の要否を選択する切替スイッチを設けた請求項１乃至３の何れか１項に記載の車両の操舵抵抗付与装置。
【発明の詳細な説明】
【技術分野】
【０００１】
本発明は、ステアリングホイールによって操作されるステアリングシャフトの回転に抵抗力を付与するための車両の操舵抵抗付与装置に関するものである。
【背景技術】
【０００２】
車両の操舵はステアリングホイール（ハンドル）を回転操作することによってなされるが、ステアリングホイールは、筒状のステアリングコラム内に挿通するステアリングシャフトの一端に取り付けられており、ステアリングホイールの回転はステアリングシャフトを介してステアリングギヤボックス等の操舵系に伝達される。
【０００３】
ところで、車両には運転者の操舵力をアシストするためのパワーステアリング装置が設けられているが、このパワーステアリング装置によるアシスト力の大きさは車速に応じて変化するよう制御される。具体的には、高速走行中に操舵力が軽過ぎると、必要以上にステアリングホイールを回してしまうため、進路を保持するために微小（操舵角±１０°程度）で済む修正操舵を切り過ぎてしまい、逆方向の修正操舵が必要になる場合がある。高速走行中に操舵力が軽過ぎると、この修正操舵の繰り返しが頻繁に発生して操縦性が悪化するため、パワーステアリング装置のアシスト力を小さくして運転者の手応えを大きくし（ハンドルを重くし）、急激な操作（急ハンドル）を抑制しつつ、必要以上にステアリングホイールを回してしまうことを抑制して車両の走行安定性を高めるようにしている。又、低速走行時においては、小さな操舵力で操舵を可能とするようアシスト力を大きくし（ハンドルを軽くし）、ステアリングホイールを大きく回転させるような操舵を容易に行うことができるとともに、クイック感が高められるようにしている。
【０００４】
ところで、特許文献１には、車両の高速直線走行時のシミーの発生を防ぐため、押圧部材によって摩擦付与部材を径方向に移動させてこれをステアリングシャフトに押圧することによって、ステアリングシャフトに回転方向のフリクションを付与し、車両の高速直線走行時には押圧部材の移動量を大きく設定してステアリングシャフトに大きな回転方向のフリクションを付与するようにした車両用ステアリング装置が提案されている。
【０００５】
又、特許文献２には、ステアリングシャフトのスラスト力受け面にスラストワッシャを介して押圧される押圧部材と、ステアリングシャフトに軸方向に移動可能に設けられたスプリングを介して前記押圧部材を前記スラスト受け面に押圧することによってステアリングシャフトに回転方向のフリクションを付与するフリクション調節部材を設け、フリクション調節部材のステアリングシャフトに対する移動量によって操舵フリクションを調節し、操舵角に対する操舵力の位相と操舵感を変えるようにしたステアリング装置が提案されている。
【０００６】
更に、特許文献３には、ステアリングシャフト上の回転体に接触子を接触させて摩擦力を付与する摩擦力付与装置と、車速信号及び操舵角信号を入力してステアリングハンドルの中立時では操舵時よりも大きな摩擦力を付与し且つ車速の増加に応じて摩擦力が増加するよう前記摩擦力付与装置を制御する電気制御装置を設けて成るステアリング装置の操舵力制御装置が提案されている。
【先行技術文献】
【特許文献】
【０００７】
【特許文献１】特開２００７−０８３９４０号公報
【特許文献２】特許第２８００５２６号公報
【特許文献３】特開昭６０−０４２１５６号公報
【発明の概要】
【発明が解決しようとする課題】
【０００８】
ところで、ステアリング装置における微小操舵時の手応えで体感上敏感な領域は、ステアリングの切り始めと戻し始めの領域であり、その領域での運転者の手応えは、パワーステアリング装置によるアシスト部よりもステアリングハンドルに近い側の操舵系の特性（回転抵抗と捩り剛性）に依存する。従って、パワーステアリング装置のアシスト特性だけでは良好な操舵感（フィーリング）が得られないという問題がある。
【０００９】
又、操舵系の抵抗（フリクション）やアシスト部がステアリングハンドルから離れた位置に存在すると、その位置とステアリングハンドルの間で捩れが生じるためにステアリングの剛性感が低下するという問題もある。
【００１０】
本発明は上記問題に鑑みてなされたもので、その目的とする処は、操舵の切り始めと戻し始めの微小操舵域において良好な操舵感が得られるとともに、ステアリングの剛性感を高めて高速走行時の安心感の向上を図ることができる車両の操舵抵抗付与装置を提供することにある。
【課題を解決するための手段】
【００１１】
上記目的を達成するため、請求項１記載の発明は、筒状のステアリングコラム内に挿通する回転可能なステアリングシャフトの回転に抵抗力を付与する抵抗付与手段を設け、該抵抗付与手段によって付与される抵抗力を車速に応じて変更する車両の操舵抵抗付与装置において、前記抵抗付与手段をステアリングホイールの近傍に配置するとともに、操舵角に基づいて算出される操舵速度の変化によってステアリングの切り始めを検知し、ステアリングの切り始め領域において前記抵抗付与手段によって付与される抵抗力を他の領域において付与される抵抗力よりも大きく設定し、操舵角に基づいて算出される操舵速度の変化によってステアリングの戻し始めを検知し、ステアリングの戻し始め領域において前記抵抗付与手段によって付与される抵抗力を他の領域において付与される抵抗力よりも小さく設定することを特徴とする。
【００１３】
請求項２記載の発明は、請求項１記載の発明において、前記抵抗付与手段によって付与される抵抗力を車速によって変化させ、車速が大きい場合の抵抗力を車速が小さい場合の抵抗力よりも大きく設定することを特徴とする。
【００１４】
請求項３記載の発明は、請求項１又は２に記載の発明において、前記抵抗付与手段によって付与される抵抗力を操舵角によって変化させ、操舵角の増加と共に抵抗力を小さくすることを特徴とする。
【００１５】
請求項４記載の発明は、請求項１乃至３の何れかに記載の発明において、前記抵抗付与手段による抵抗力付与の要否を選択する切替スイッチを設けたことを特徴とする。
【発明の効果】
【００１６】
請求項１記載の発明によれば、ステアリングシャフトに回転方向の抵抗力を付与する抵抗付与手段をステアリングホイールの近傍に配置したため、抵抗力の付与と操舵力（操舵角）の関係においてステアリングシャフトの捩れの影響が発生せず、捩れや操舵系部品のガタによるフニャフニャ感を抑制することが可能となり、ステアリングの剛性感が高められて車両の高速走行時の安心感の向上が図られる。又、ステアリングの切り始めにおいてステアリングシャフトに比較的大きな抵抗力が付与されるため、転舵に必要な操舵力が比較的大きくなり、ステアリングの切り始めの微小操舵域での操舵に手応え（しっかり感）が付与されて良好な操舵感（フィーリング）が得られる。
【００１７】
また、請求項１記載の発明によれば、ステアリングの戻し始めにおいてステアリングシャフトに付与される抵抗力が小さくなるため、操舵角が増加する方向（切る方向）から操舵角が減少する方向（戻し方向）への操作でのステアリングホイールの引っ掛かり感を抑制して、ステアリングホイールを速やかに戻すことができ、戻し始めの微小領域において良好な操舵感（フィーリング）が得られる。更に、ステアリングホイールを中立位置（直進位置）まで速やかに戻すことができる。
【００１８】
請求項２記載の発明によれば、車速が大きい場合の抵抗力を車速が小さい場合の抵抗力よりも大きく設定するため、高速走行時の修正操舵を切り過ぎることや修正操舵の繰り返しが頻繁に発生することによる操縦性の悪化が防がれる。つまり、高速走行時の運転者の必要操舵力を大きくし、急激な操作を抑制しつつ、必要以上にステアリングホイールを回してしまうことを抑制して、車両の走行安定性を高めることができる。又、低速走行時においては、小さな操舵力で操舵を可能とし、ステアリングホイールを大きく回転させるような操舵を容易に行うことができるとともに、クイック感を高め、車両の商品性を向上させることができる。
【００１９】
請求項３記載の発明によれば、操舵角の増加と共に抵抗力を小さくするため、操舵角が小さな直進付近において運転者に比較的大きな手応えを与えることができるとともに、切られた状態から更にステアリングホイールを切り込む操作（操舵角が増加する方向の操作）におけるステアリングの切り始めにおいて、ステアリングシャフトに付与される抵抗力を小さくするため、運転者に過度の負担を強いることなく追加の操舵（増し切り）が容易となって、操縦性を向上させることができる。更に、大きく切られた状態では抵抗力が小さくなるため、ステアリングホイールを中立位置まで速やかに戻すことができる。
【００２０】
請求項４記載の発明によれば、切替スイッチによって抵抗付与手段による抵抗力付与の要否を選択することができるため、運転者の好みに応じた操舵感を得ることができる。
【図面の簡単な説明】
【００２１】
【図１】本発明に係る操舵抵抗付与装置の基本構成を示す車両のステアリングハンドル周りの図である。
【図２】本発明に係る操舵抵抗付与装置を備えたステアリング装置の操舵力と操舵角との関係を示す図である。
【発明を実施するための形態】
【００２２】
以下に本発明の実施の形態を添付図面に基づいて説明する。
【００２３】
図１は本発明に係る操舵抵抗付与装置の基本構成を示す車両のステアリングハンドル周りの図であり、同図において、１は車体側に取り付けられた円筒状のステアリングコラムであって、その内部にはステアリングシャフト２が回転可能に挿通している。このステアリングシャフト２の一端（上端）はボールベアリング３によってステアリングコラム１に回転可能に支持されており、該ステアリングシャフト２のステアリングコラム１から突出する端部にはステアリングホイール４が取り付けられている。
【００２４】
そして、ステアリングホイール４の近傍の前記ステアリングコラム１の端部（上端部）には、ステアリングシャフト２の回転に抵抗力を付与するための抵抗付与手段５が取り付けられている。又、ステアリングホイール４の基端部には操舵角センサ６と操舵力センサ７が組み込まれている。尚、図示しないが、ステアリングシャフト２の他端（下端）は、ユニバーサルジョイント等を経てステアリングギヤボックス等の操舵系に連結されており、運転者がステアリングホイール４を左右に回転操作すると、その回転はステアリングシャフト２を経て操舵系に伝達され、操舵輪である前輪が左右に転舵されて車両が左右何れかの方向に旋回する。
【００２５】
上記抵抗付与手段５は、ステアリングコラム１の端部に取り付けられたハウジング８を備えており、このハウジング８の先端部には摩擦体９がステアリングシャフト２の径方向（図１の上下方向）に移動可能に保持されており、ハウジング８の内部にはスライダ１０が摩擦体９の移動方向（図１の上下方向）と同方向に摺動可能に収容されている。そして、ハウジング８内のスライダ１０と摩擦体９との間にはスプリング１１が縮装されており、摩擦体９はスプリング１１によってステアリングシャフト２の外周面に押圧されている。詳細には、摩擦体９は、ステアリングシャフト２の一端（上端）に配置されたボールベアリング３よりもステアリングホイール４が取り付けられる側となるステアリングシャフト２の外周面に押圧されている。尚、スライダ１０は、その外周がハウジング８の内部に形成されたガイド溝に嵌合しており、非回転状態を保ってハウジング８内を摺動する。
【００２６】
又、ハウジング８にはアクチュエータとしての電動モータ１２が取り付けられており、この電動モータ１２からハウジング８内へと延びるネジ軸１３は前記スライダ１０の中心部に螺合している。
【００２７】
而して、以上のように構成された抵抗付与手段５においては、摩擦体９がスプリング１１によってステアリングシャフト２の外周面に押圧されているため、該摩擦体９とステアリングシャフト２の間の摩擦力がステアリングシャフト２の回転の抵抗として作用する。この結果、抵抗付与手段５によってステアリングシャフト２の回転に抵抗力が付与されるが、この抵抗力は電動モータ１２を駆動することによってその大きさが調整される。
【００２８】
即ち、電動モータ１２を駆動すれば、そのネジ軸１３が回転し、このネジ軸１３に螺合するスライダ１０がハウジング８内でネジ軸１３の軸方向（図１の上下方向）に摺動してスプリング１１を圧縮又は伸長させるため、スプリング１１の摩擦体９に対する押圧力が変化し、この押圧力の変化によって摩擦体９のステアリングシャフト２に対する押圧力が変化し、摩擦体９とステアリングシャフト２の間に発生する摩擦力が変化してステアリングシャフト２に付与される抵抗力が変化する。具体的には、スプリング１１による摩擦体９の押圧力が大きいほど、ステアリングシャフト２に付与される抵抗力も大きくなる。
【００２９】
ところで、抵抗付与手段５の電動モータ１２は、コントローラ１４によってその駆動が制御され、コントローラ１４は、前記操舵角センサ６によって検出される操舵角と前記操舵力検出センサ７によって検出される操舵力及び車速センサ１５によって検出される車速に基づいて電動モータ１２を駆動制御してステアリングシャフト２に付与する抵抗力を調整する。
【００３０】
具体的には、コントローラ１４は、操舵角に基づいて算出される操舵速度の変化によってステアリングホイール４の切り始めを検知し、ステアリングホイール４の切り始め領域においてステアリングシャフト２に付与される抵抗力を他の領域（その後の切り込み方向の領域）において付与される抵抗力よりも大きく設定する。又、コントローラ１４は、操舵速度の変化によってステアリングホイール４の戻し始めを検知し、ステアリングホイール４の戻し始め領域においてステアリングシャフト２への抵抗力を他の領域（切り込み方向の領域）において付与される抵抗力よりも小さく設定する。
【００３１】
又、コントローラ１４は、操舵角に基づいて、操舵速度の変化によって検出するステアリングホイール４の切り始めが、中立位置からのものか、或る程度ステアリングが切られた状態からの増し切りかを判断する。増し切りの場合は、中立位置から切り始めに付与される抵抗力よりも弱い抵抗力とする。尚、本実施の形態では、操舵角に基づいて算出される操舵速度の変化によってステアリングホイール４の切り始めを検知し、ステアリングホイール４に切り始め領域での抵抗力を付与しているため、操舵角に基づいて算出される操舵速度が略０の場合（操舵すれば必ず操舵速度の変化が起こる）は、その次に起こるであろう操舵に備えて、予め抵抗付与手段５の電動モータ１２を駆動制御してステアリングシャフト２に抵抗力を付与しておくこともできる。このようにすることによって、ステアリングホイール４の切り始めに対して遅れることなく抵抗力を付与することが可能となる。更に、車両が直進走行状態で操舵速度が略０の場合において、抵抗付与手段５にて予めステアリングシャフト２に抵抗力を付与しておくと、車両のフラツキが抑制され、車両の走行安定性を高めることができる。
【００３２】
ここで、例えば、車両の停止状態でステアリングを右に切った後に左に切って元の中立点に戻す操作（所謂据え切り操作）を行った場合の操舵角との関係を図２に示す特性に基づいて以下に説明する。尚、ここで、図２の横軸はステアリングホイール４の操舵角（回転角度）を示し、原点Ｏが転舵していない状態（車両が直進する状態）であり、原点Ｏよりも右側が右に転舵した状態を示し、原点Ｏよりも左側が左に転舵した状態を示している。又、図２の縦軸はステアリングホイール４に加えられる運転者の操舵力（ステアリングホイール４を回転させるのに必要な力）を示し、原点Ｏよりも上側が右に転舵させる方向の力の大きさを示し、原点Ｏよりも下側が左に転舵させる方向の力の大きさを示している。
【００３３】
図２に示す中立点（原点）Ｏにおいては、タイヤの転がり方向が車両の前方を向いた直進状態にあり、この状態では操舵角と操舵力は共に０になっている。
【００３４】
ステアリングホイール４が中立点Ｏに位置している状態から運転者がステアリングホイール４を右方向に切ると、コントローラ１４は、前述のように操舵角に基づいて算出される操舵速度の変化によってステアリングの切り始めを検知し、抵抗付与手段５によってステアリングシャフト２に抵抗力を付与する。ここで、ステアリングの切り始め領域（図２の中立点Ｏ〜変曲点Ａまでの微小領域）においては、ステアリングシャフト２に付与される抵抗力を他の領域（その後の切り増し方向の操舵操作領域）において付与される抵抗力よりも高める。ステアリングの切り始め領域である中立点Ｏ〜変曲点Ａまでの微小領域では、運転者がステアリングホイール４を回そうとするが、ステアリングシャフト２に付与される抵抗力によってステアリングホイール４は殆ど動かないため、運転者が操舵力を強める。尚、この例では、前述した車両が直進状態で操舵速度が略０の場合となるため、抵抗付与手段５にて予めステアリングシャフト２に抵抗力を付与しておく。
【００３５】
そして、運転者の操舵力が強まった変曲点Ａにおいて、運転者の操舵力がステアリングシャフト２に付与される抵抗力に打ち勝ってステアリングホイール２が回り始める。
【００３６】
図２に示す変曲点Ａ〜変曲点Ｂの領域においては、合計で抵抗付与手段５によってステアリングシャフト２に付与される抵抗力とほぼ同程度となる操舵系の各部品の摩擦に抗するだけの大きさの操舵力が必要となるために、操舵力が増加する。つまり、徐々に強まる運転者の操舵力が操舵系の各部品の抵抗力に勝り、ステアリングホイール２が回転し、ステアリングホイール４の回転が操舵系の部品に順次伝達されていく。変曲点Ｂにおいては、ステアリングホイール４の回転が不図示のタイロッドまで伝わり、タイロッドが左右の前輪（ナックル及びホイール）を動かし始める。
【００３７】
図２に示す変曲点Ｂ〜変曲点Ｃの領域においては、タイロッドに押されて（詳細には、前輪の一方は押されて、他方は引っ張られる）左右の前輪（ナックル及びホイール）が動き始めるが、タイヤの接地部分は動かない状態にあり、タイヤがそれ自身の弾性によって捩れる。そして、操舵角が増加するに伴いタイヤの弾性変形に操舵力が蓄積され、操舵力が徐々に増大する。変曲点Ｃにおいては、操舵力がタイヤの接地部分の摩擦力を含めた操舵系の部品の摩擦力に達し、この操舵力が操舵系の部品の摩擦力に打ち勝ってタイヤが地面に対して動き始める。
【００３８】
図２に示す変曲点Ｃ〜変曲点Ｄの領域においては、サスペンションのアライメントによる力（車両の進行方向を直進方向に戻そうとする力）に抗するために操舵力は徐々に増大する。変曲点Ｄは、運転者がステアリングホイール４を右に転舵するのを止めて戻し方向に転舵をはじめる点であって、ステアリングホイール４の回転が停止する。
【００３９】
図２に示す変曲点Ｄ〜変曲点Ｅの領域はステアリングを戻し始める領域であって、前述のように、コントローラ１４は、操舵速度の変化（操舵方向の変化）によってステアリングの戻し始めを検知すると、ステアリングシャフト２に付与される抵抗力をステアリングホイール４の切り始め領域で付与される抵抗力よりも小さく設定する。この領域では抵抗付与手段５によってステアリングシャフト２に付与される抵抗力に抗してステアリングホイール４を右に回そうとする力が不要となるとともに、摩擦に抗して逆方向（左方向）にステアリングホイール４を回そうとするため、操舵力が急速に減少する（操舵角度の変化に対して、操舵力の低下が著しい）。尚、操舵速度の変化は、減速を検知してステアリングの戻し始めに備えても良い。つまり、操舵速度の減少で運転者の操舵終了を予測し、ステアリングシャフト２に付与される抵抗力をそれまでに付与されている抵抗力よりも小さく設定することもできる。
【００４０】
更に、走行時であって左右の前輪からのステアリングホイール４を戻り方向に回そうとする力が大きな場合は、逆に抵抗付与手段５によってステアリングシャフト２に付与される抵抗力を比較的大きく設定し、この抵抗力で戻り方向に回そうとする力に対抗させて、戻り方向の挙動を緩慢にするとともに、運転者の操作力を軽減することができる。変曲点Ｅにおいては、抵抗付与手段５によってステアリングシャフト２に付与される抵抗力に打ち勝ってステアリングホイール４が左に回り始める。
【００４１】
図２に示す変曲点Ｅ〜変曲点Ｆの領域は、ステアリングホイール４の回転が操舵系の部品に伝達され、右に回そうとする力から左に回そうとする力に変わっていく領域、つまり、右に回そうとする力の開放と左に回そうとする力の伝達領域である。変曲点Ｆにおいては、ステアリングホイール４の回転がタイロッドまで伝わり、タイロッドが動き始める。
【００４２】
図２に示す変曲点Ｆ〜変曲点Ｈの領域においては、タイロッドが戻り始めて車輪が動き始める。但し、タイヤの接地部分は動かない。つまり、タイヤの捩れが元に戻る過程と、逆方向（左方向）に捩れる過程であって、ステアリングホイール４が左方向に回転するとともに、ステアリングホイール４を右に切った状態を維持しようとする運転者の右方向への力が減少し、ステアリングホイール４を左に切ろうとする運転者の左方向への力が増加する。変曲点Ｈにおいては、タイヤの接地面が動き始め、タイヤが左方向に動き始める。つまり、左方向への操舵力がタイヤの接地部分の摩擦力を含めた操舵系の部品の摩擦力に達し、これらの摩擦力に打ち勝って地面に対してタイヤが動き始める。
【００４３】
図２に示す変曲点Ｈ〜変曲点Ｉの領域においては、サスペンションのアライメントによる力（車両の進行方向を直進方向に戻そうとする力）に抗するため、操舵力は徐々に増加する。尚、操舵角が０に近づく過程でステアリングシャフト２に付与される抵抗力を０にする。
【００４４】
以上、図２に示す例（据え切り）に沿って動作を説明したが、車両が走行している状態では、変曲点Ｂ〜変曲点Ｃの領域及び変曲点Ｆ〜変曲点Ｈの領域（タイヤの変形領域）は顕著に現れず、代わりに、サスペンションのアライメントによる力（車両の進行方向を直進方向に戻そうとする力）が大きくなる。そして、戻り方向への操舵角の変化において、操舵角が０に近づく過程でステアリングシャフト２に付与される抵抗力を０にするため、サスペンションのアライメントによる直進性に影響を及ぼすことがない。
【００４５】
ところで、図２に示す破線は、抵抗付与手段５によってステアリングシャフト２に付与される抵抗力を大きくした状態を示しており、具体的には、中立点Ｏ〜変曲点Ａの領域での操舵力の上昇分が大きくなる。本実施の形態では、コントローラ１４は、抵抗付与手段５によってステアリングシャフト２に付与される抵抗力を車速によって変化させ、例えば図２に破線にて示すように、車速が大きい場合の抵抗力を車速が小さい場合の抵抗力よりも大きく設定することによって高速走行時の操舵力が大きくなるようにしている。
【００４６】
又、コントローラ１４は、抵抗付与手段５によって付与される抵抗力を操舵角によって変化させ、操舵角の増加と共に抵抗力を小さく設定する。
【００４７】
更に、本実施の形態では、図１に示すように抵抗付与手段５によるステアリングシャフト２への抵抗力付与の要否を選択する切替スイッチ１６が設けられている。これにより、運転者は切替スイッチ１６によって抵抗付与手段５による抵抗力付与の有無状態を選択することができるため、運転者の好みに応じた操舵感を得ることができる。尚、切替スイッチ１６を変更し、付与される抵抗力の大きさを調整可能とすることもできる。
【００４８】
而して、本発明によれば、ステアリングシャフト２に回転方向に抵抗力を付与する抵抗付与手段５をステアリングホイール４の近傍に配置したため、ステアリングシャフト２の捩れの影響が発生せず、ステアリングの剛性感が高められて車両の高速走行時の安心感の向上が図られる。
【００４９】
又、本発明によれば、ステアリングの切り始めにおいてステアリングシャフト２に大きな抵抗力が付与されるため、ステアリングの切り始めの微小操舵域での操舵に手応え（しっかり感）が付与されて良好な操舵感（フィーリング）が得られる。そして、ステアリングの戻し始めにおいてステアリングシャフト２に付与される抵抗力が下げられるため、ステアリングホイール４が中立位置（直進位置）まで速やかに戻り、戻し始めの微小領域において良好な操舵感（フィーリング）が得られる。
【００５０】
更に、本発明によれば、車速が大きい場合の抵抗力を車速が小さい場合の抵抗力よりも大きく設定するため、高速走行時の修正操舵を切り過ぎることによる操縦性の悪化が防がれる。
【００５１】
又、本発明によれば、操舵角の増加と共に抵抗力を小さくするため、操舵角が小さな直進付近において運転者に大きな手応えを与えることができるとともに、大きく切られたステアリングホイール４を中立位置まで速やかに戻すことができる。
【００５２】
その他、本実施の形態では、切替スイッチ１６によって抵抗付与手段５によるステアリングシャフト２への抵抗力付与の要否を選択することができるため、運転者の好みに応じた操舵感を得ることができる。
【符号の説明】
【００５３】
１      ステアリングコラム
２      ステアリングシャフト
４      ステアリングホイール
５      抵抗付与手段
６      操舵角センサ
７      操舵力センサ
９      摩擦体
１０    スライダ
１１    スプリング
１２    電動モータ
１４    コントローラ
１５    車速センサ
１６    切替スイッチ
【図１】
0005783452.tif 000002
【図２】
0005783452.tif 000003